(57)【要約】【課題】再度の画像の読み取りを行うことなく、メモリコピーを行う。【解決手段】画像形成装置（２）は、スタートキー（３１）の押下により、１部目の記録実行指示を受け付けたときに、ダイレクトコピー用の第１解像度を有する第１画像データを生成する処理を実行すると共に、メモリコピー用の第２解像度を有する第２画像データを生成し、圧縮データ保存領域（４３２）への保存を開始する処理を実行するＣＰＵ（４１）を備える。【選択図】図１
2020167486.tif 000002
【特許請求の範囲】
【請求項１】
コピーを開始させるための開始操作を入力可能なキーと、
前記キーの押下に従い、読み取られた画像を用紙に記録する記録部と、
メモリと、
前記キーの押下回数に応じて、
記録部数を設定すると共に、
（１）前記画像に係る画像データの一部を前記メモリに順次保存し、保存された順に前記画像データの一部を前記メモリから読み出し記録するダイレクトコピー、又は、
（２）前記画像データの全体を前記メモリに保存した後、保存された前記画像データの一部を順次読み出し記録するメモリコピーを実行することにより、前記記録部において前記用紙に前記画像を記録させるコピー制御部と、を備え、
前記コピー制御部は、
前記キーの押下により、前記記録部数として１部目の記録実行指示を受け付けたときに、
前記ダイレクトコピー用の第１解像度を有する第１画像データを生成する処理を実行すると共に、
前記第１解像度よりも低解像度の、前記メモリコピー用の第２解像度を有する第２画像データを生成し、前記メモリへの保存を開始する処理を実行する、画像形成装置。
【請求項２】
前記コピー制御部は、前記キーの押下により前記記録部数の追加指示を受け付けた場合には、前記第２画像データの前記メモリへの保存が完了するまで、前記第２画像データに係る画像の前記用紙への記録動作を待機する処理を実行する、請求項１に記載の画像形成装置。
【請求項３】
前記コピー制御部は、前記第１画像データに係る画像の前記用紙への記録動作を開始していない状態において、前記記録部数の追加指示を受け付けた場合に、前記第２画像データに係る画像の前記用紙への記録動作を待機する処理を実行する、請求項２に記載の画像形成装置。
【請求項４】
前記コピー制御部は、前記第１画像データに係る画像の前記用紙への記録動作を行っている状態において、前記記録部数の追加指示を受け付けた場合には、前記記録動作を中止して前記用紙を排出する第１処理を実行する、請求項２又は３に記載の画像形成装置。
【請求項５】
前記コピー制御部は、前記第１画像データに係る画像の前記用紙への記録動作を行っている状態において、前記記録部数の追加指示を受け付けた場合には、前記記録動作の完了後に、前記第２画像データに係る画像の前記用紙への記録動作を開始する第２処理を実行する、請求項２又は３に記載の画像形成装置。
【請求項６】
前記コピー制御部は、ユーザにより選択された、
前記第１処理、又は、
前記第１画像データに係る画像の前記用紙への記録動作を行っている状態において、前記記録部数の追加指示を受け付けた場合には、前記記録動作の完了後に、前記第２画像データに係る画像の前記用紙への記録動作を開始する第２処理を実行する、請求項４に記載の画像形成装置。
【請求項７】
前記コピー制御部は、前記第２画像データを圧縮して前記メモリに保存する処理を実行する、請求項１から６の何れか１項に記載の画像形成装置。
【請求項８】
コピーを開始させるための開始操作を入力可能なキーと、
前記キーの押下に従い、読み取られた画像を用紙に記録する記録部と、
メモリと、を備える画像形成装置の制御方法であって、
前記キーの押下回数に応じて、
記録部数を設定すると共に、
（１）前記画像に係る画像データの一部を前記メモリに順次保存し、保存された順に前記画像データの一部を前記メモリから読み出し記録するダイレクトコピー、又は、
（２）前記画像データの全体を前記メモリに保存した後、保存された前記画像データの一部を順次読み出し記録するメモリコピーを実行することにより、前記記録部において前記用紙に前記画像を記録させるコピー制御ステップを含み、
前記コピー制御ステップでは、
前記キーの押下により、前記記録部数として１部目の記録実行指示を受け付けたときに、
前記ダイレクトコピー用の第１解像度を有する第１画像データを生成する処理を実行すると共に、
前記第１解像度よりも低解像度の、前記メモリコピー用の第２解像度を有する第２画像データを生成し、前記メモリへの保存を開始する処理を実行する、画像形成装置の制御方法。
【請求項９】
請求項１に記載の画像形成装置における前記コピー制御部の各処理をコンピュータに実行させ、前記コピー制御部として前記コンピュータを機能させるための画像形成プログラム。
【発明の詳細な説明】
【技術分野】
【０００１】
本発明は、画像形成装置等に関する。
【背景技術】
【０００２】
特許文献１には、コピー機能を有するファクシミリ装置が開示されている。このファクシミリ装置では、コピー時には、（ｉ）白黒モードの場合にメモリコピーを行い、カラーモードの場合にダイレクトコピーを行うか、又は（ｉｉ）白黒モード及びカラーモードの何れの場合もメモリコピーを行う。
【先行技術文献】
【特許文献】
【０００３】
【特許文献１】特開平７−２０３２２３号公報
【発明の概要】
【発明が解決しようとする課題】
【０００４】
しかしながら、特許文献１には、スタートキーの押下回数に応じて記録部数を設定する機能については開示されていない。そのため当然ながら、特許文献１には、当該機能を前提とした、ダイレクトコピー及びメモリコピーを切替えるときに生じ得る問題点については開示されていない。
【０００５】
本発明は、上記従来の問題点に鑑みなされたものであって、再度の画像の読み取りを行うことなく、メモリコピーを行うことが可能な画像形成装置等を提供することを目的とする。
【課題を解決するための手段】
【０００６】
上記の課題を解決するために、本発明の一態様に係る画像形成装置は、コピーを開始させるための開始操作を入力可能なキーと、前記キーの押下に従い、読み取られた画像を用紙に記録する記録部と、メモリと、前記キーの押下回数に応じて、記録部数を設定すると共に、（１）前記画像に係る画像データの一部を前記メモリに順次保存し、保存された順に前記画像データの一部を前記メモリから読み出し記録するダイレクトコピー、又は、（２）前記画像データの全体を前記メモリに保存した後、保存された前記画像データの一部を順次読み出し記録するメモリコピーを実行することにより、前記記録部において前記用紙に前記画像を記録させるコピー制御部と、を備え、前記コピー制御部は、前記キーの押下により、前記記録部数として１部目の記録実行指示を受け付けたときに、前記ダイレクトコピー用の第１解像度を有する第１画像データを生成する処理を実行すると共に、前記第１解像度よりも低解像度の、前記メモリコピー用の第２解像度を有する第２画像データを生成し、前記メモリへの保存を開始する処理を実行する、画像形成装置。
【０００７】
さらに、上記の課題を解決するために、本発明の一態様に係る画像形成装置の制御方法は、コピーを開始させるための開始操作を入力可能なキーと、前記キーの押下に従い、読み取られた画像を用紙に記録する記録部と、メモリと、を備える画像形成装置の制御方法であって、前記キーの押下回数に応じて、記録部数を設定すると共に、（１）前記画像に係る画像データの一部を前記メモリに順次保存し、保存された順に前記画像データの一部を前記メモリから読み出し記録するダイレクトコピー、又は、（２）前記画像データの全体を前記メモリに保存した後、保存された前記画像データの一部を順次読み出し記録するメモリコピーを実行することにより、前記記録部において前記用紙に前記画像を記録させるコピー制御ステップを含み、前記コピー制御ステップでは、前記キーの押下により、前記記録部数として１部目の記録実行指示を受け付けたときに、前記ダイレクトコピー用の第１解像度を有する第１画像データを生成する処理を実行すると共に、前記第１解像度よりも低解像度の、前記メモリコピー用の第２解像度を有する第２画像データを生成し、前記メモリへの保存を開始する処理を実行する。
【０００８】
上記画像形成装置及びその制御方法によれば、１部目の記録実行指示を受け付けたときに、ダイレクトコピーのための第１画像データの生成と共に、メモリコピーのための第２画像データの保存を開始する。そのため、ダイレクトコピー開始後に記録部数を追加する開始操作を受け付けたときに、メモリコピーのために画像の読み取りを再度行う必要がない。つまり、上記画像形成装置及びその制御方法によれば、再度の画像の読み取りを行うことなく、メモリコピーを行うことができる。
【発明の効果】
【０００９】
本発明の一態様によれば、再度の画像の読み取りを行うことなく、メモリコピーを行うことができる。
【図面の簡単な説明】
【００１０】
【図１】画像形成システムの一例を示すブロック図である。
【図２】操作パネルの一例を示す図である
【図３】ダイレクトコピー及びメモリコピーの処理例を示す図である。
【図４】ＣＰＵの処理例を示すフローチャートである。
【図５】ＣＰＵの処理の別例を示すフローチャートである。
【発明を実施するための形態】
【００１１】
〔画像形成システムの構成〕
以下、本発明の一実施形態について、詳細に説明する。図１は、画像形成システム１の一例を示すブロック図である。図１に示すように、画像形成システム１は、原稿の画像を読み取って用紙に記録する画像形成装置２と、画像形成装置２を制御可能なＰＣ３とを備えている。
【００１２】
画像形成装置２は、例えば、コピー機、ファクシミリ機又は複合機によって実現される。ＰＣ３は、画像形成装置２と無線又は有線で接続されている。ＰＣ３が、例えば、ユーザ入力に係る指示を画像形成装置２に送信することで、画像形成装置２は、当該指示に基づく処理を実行する。
【００１３】
〔画像形成装置の構成〕
図１に示すように、画像形成装置２は、読取部１０、記録部２０、操作パネル３０及び制御部４０を備えている。
【００１４】
読取部１０は、原稿の画像を読み取って、その画像に係る画像データを生成する。読取部１０は、例えば、ＣＩＳ（Contact Image Sensor）又はＣＣＤ（Charged Coupled Device）イメージセンサである。また、読取部１０は、カラー読み取りが可能であっても、モノクロ読み取り可能であっても構わない。
【００１５】
記録部２０は、読取部１０によって生成された画像データに係る画像を、用紙に記録する。記録部２０による画像形成方式は、電子写真方式であっても、インクジェット方式であっても構わない。電子写真方式の場合、画像は、転写により用紙に記録される。インクジェット方式の場合、画像は、インクの吐出により用紙に記録される。また、記録部２０は、カラー画像及びモノクロ画像の形成を選択的に行うことが可能であるが、何れか一方の画像形成専用であっても構わない。
【００１６】
操作パネル３０は、ユーザ入力を受け付ける。図２は、操作パネル３０の一例を示す図である。図２に示すように、操作パネル３０は、コピーを開始させるための開始操作を入力可能なスタートキー３１と、コピーを停止させるための停止操作を入力可能なストップキー３２と、電源のオン及びオフを切り替えるための切替操作を入力可能な電源キー３３とを備えている。記録部２０は、スタートキー３１の押下に従い、画像を用紙に記録すると共に、ストップキー３２の押下に従い、その記録を停止する。スタートキー３１は、キーの一例である。
【００１７】
上記キーは、物理的なスタートキー３１で実現されていなくても構わない。例えば、操作パネル３０がタッチパネルで構成されている場合には、スタートキー３１は、タッチパネル上に表示される仮想的なキーで実現される。ストップキー３２についても同様である。
【００１８】
なお、「コピー」とは、画像を読み取ると共に、用紙を記録位置まで搬送させた後、用紙を搬送させながら画像を記録していき、記録完了後に用紙を排出する、という、読取動作及び記録動作に係る一連の動作を指す。また、コピーの開始処理とは、画像の読取動作の開始、用紙の記録位置への搬送等、上記一連の動作に係る初期準備処理を指す。
【００１９】
図２では、スタートキー３１は、カラーコピーを開始させるためのカラースタートキー３１１と、モノクロコピーを開始させるためのモノクロスタートキー３１２と、を含んでいる。画像形成装置２がカラーコピー専用又はモノクロコピー専用であれば、スタートキー３１は１つで構わない。また、スタートキー３１とは別に、カラーコピー及びモノクロコピーを選択できる操作キーが設けられていても構わない。
【００２０】
また、操作パネル３０は、図２に示すように、画像の読取動作開始前に記録部数を入力するための部数入力キーを備えていない。画像形成装置２では、記録部数の入力をスタートキー３１で代用している。具体的には、記録部数は、スタートキー３１の押下回数に応じて設定される。例えば、スタートキー３１が１回押下された場合には、記録部数として「１部」が設定され、２回押下された場合には、記録部数として「２部」が設定される。このように部数入力キーを設けないことにより、操作パネル３０の簡略化を図ることができるので、画像形成装置２を安価に製造できる。
【００２１】
制御部４０は、ＣＰＵ（Central Processing Unit）４１、ＲＯＭ（Read Only Memory）４２及びＲＡＭ（Random Access Memory）４３を備えている。ＣＰＵ４１は、ＲＯＭ４２から読み出した制御プログラムに従って、その処理結果をＲＡＭ４３に記憶させながら、画像形成装置２の各構成要素を制御する。
【００２２】
ＲＡＭ４３は、ラインデータ保存領域４３１及び圧縮データ保存領域４３２を備えている。ラインデータ保存領域４３１及び圧縮データ保存領域４３２は、それぞれメモリの一例である。ＲＡＭ４３がメモリの一例であっても構わない。
【００２３】
ラインデータ保存領域４３１は、読取部１０によって生成された画像データのうち、実際に用紙に記録する画像データの一部が書き込まれる領域である。この画像データの一部とは、１枚の原稿の画像から生成された画像データのうちの、数ライン分の画像データ（ラインデータ）である。圧縮データ保存領域４３２は、読取部１０によって生成された画像データを圧縮した圧縮データが保存される領域である。
【００２４】
ＣＰＵ４１は、画像形成装置２を統括的に制御する。ＣＰＵ４１は、コピー制御部の一例である。具体的には、ＣＰＵ４１は、スタートキー３１の押下回数に応じて記録部数を設定する。また、ＣＰＵ４１は、ダイレクトコピー又はメモリコピーを実行することにより、記録部２０において用紙に画像を記録させる。
【００２５】
ダイレクトコピーは、ラインデータをラインデータ保存領域４３１に順次保存し、保存された順にラインデータをラインデータ保存領域４３１から読み出し記録する処理である。メモリコピーは、画像データの全体を圧縮した圧縮データを圧縮データ保存領域４３２に保存した後、保存された画像データの一部をラインデータとして順次読み出し記録する処理である。
【００２６】
ＣＰＵ４１は、スタートキー３１の押下回数により、ダイレクトコピーとメモリコピーとを切替える。本実施形態では、ＣＰＵ４１は、スタートキー３１が最初に押下され、１部目の記録実行指示を受け付けた場合には、ダイレクトコピーに係る処理を開始する。更にスタートキー３１が押下され、記録部数の追加指示を受け付けた場合には、ダイレクトコピーに係る処理を停止し、メモリコピーに係る処理へと切替える。
【００２７】
図３は、ダイレクトコピー及びメモリコピーの処理例を示す図である。ダイレクトコピーの場合、ＣＰＵ４１は、ダイレクトコピー用の第１解像度を有する第１画像データを生成する。図３の例では、第１画像データは、読取部１０によって生成された、６００ｄｐｉ（Dots Per Inch）のＲＡＷ画像データである。つまり、ＣＰＵ４１による第１画像データの生成処理は、読取部１０による画像データの生成処理である。
【００２８】
図３に示すように、ダイレクトコピーの場合、ＣＰＵ４１は、ラインデータ保存領域４３１から第１画像データの一部を順次ラインデータとして保存し、保存された順にラインデータ保存領域４３１から記録部２０へと送信する。記録部２０は、受信したラインデータに係る画像を用紙へと記録する。
【００２９】
一方、メモリコピーの場合、ＣＰＵ４１は、第１解像度よりも低解像度の、メモリコピー用の第２解像度を有する第２画像データを生成する。ＣＰＵ４１は、読取部１０が生成した画像データに対して解像度変換処理を行うことにより、第１解像度よりも低解像度の画像データを生成する。図３の例では、解像度変換処理によって生成された第２画像データは、３００ｄｐｉのＲＡＷ画像データである。その後、ＣＰＵ４１は、第２画像データに対して画像圧縮処理を行った後、圧縮データ保存領域４３２に保存する。図３の例では、３００ｄｐｉのＲＡＷ画像データを圧縮して、３００ｄｐｉのＪＰＥＧ画像データを生成している。
【００３０】
このように、ＣＰＵ４１は、解像度変換処理及び画像圧縮処理を行うことにより、１枚の原稿の画像から生成された第２画像データの全体を圧縮データ保存領域４３２に保存する。メモリコピーでは、圧縮データ保存領域４３２に第２画像データの全体を保存する必要があるため、解像度変換処理及び画像圧縮処理を実行することにより、データサイズを小さくしている。
【００３１】
その後、ＣＰＵ４１は、圧縮データ保存領域４３２に保存された第２画像データの一部をラインデータとして読み出しながら画像解凍処理を行い、ラインデータ保存領域４３１に保存する。画像解凍処理により、解像度が元の解像度に変換される。そして、ＣＰＵ４１は、保存された順にラインデータ保存領域４３１から記録部２０へと、第２画像データの一部をラインデータとして送信する。記録部２０は、送信されたラインデータに係る画像を用紙へと記録する。
【００３２】
〔ＣＰＵの具体的処理〕
次に、ＣＰＵ４１の具体的処理について、図４を用いて説明する。図４は、ＣＰＵ４１の処理例を示すフローチャートである。画像形成装置２の制御方法の一例が本処理である。
【００３３】
図４に示すように、ＣＰＵ４１は、スタートキー３１の押下により、１部目の記録実行指示を受け付けると（Ｓ１）、上述した初期準備処理であるコピーの開始処理を行う（Ｓ２）。具体的には、ＣＰＵ４１は、読取部１０に、原稿の画像の読み取りを開始させ（Ｓ３）、当該画像に係る第１画像データの生成を開始させる（Ｓ４）。
【００３４】
その後、ＣＰＵ４１は、第１画像データに対する解像度変換処理を開始することで、第２画像データの生成を開始する（Ｓ５）。ＣＰＵ４１は、解像度変換処理後、画像圧縮処理を実行し、第２画像データの圧縮データ保存領域４３２への保存を開始する（Ｓ６）。
【００３５】
ＣＰＵ４１は、スタートキー３１の押下を監視することにより、記録部数の追加指示を受け付けたか否かを判定する（Ｓ７）。記録部数の追加指示を受け付けない限り（Ｓ７でＮＯ）、ＣＰＵ４１は、第１画像データに係る画像の用紙への記録動作を実行する。つまり、ＣＰＵ４１は、ダイレクトコピーによる記録動作を実行する。
【００３６】
また、ＣＰＵ４１は、上記記録動作を監視することにより、当該記録動作が完了したか否かを判定する（Ｓ８）。記録部数の追加指示を受け付けることなく、上記記録動作が完了した場合には（Ｓ８でＹＥＳ）、ＣＰＵ４１は、画像の読み取り及び記録処理を完了する（Ｓ９）。一方、上記記録動作の実行中については（Ｓ８でＮＯ）、Ｓ７の判定処理が実行される。
【００３７】
Ｓ７において、ＣＰＵ４１は、記録部数の追加指示を受け付けたと判定した場合（Ｓ７でＹＥＳ）、ダイレクトコピーによる記録動作を既に開始しているか否かを判定する（Ｓ１０）。ＣＰＵ４１は、上記記録動作を開始していないと判定した場合（Ｓ１０でＮＯ）、メモリコピーによる記録動作の開始を待機する（Ｓ１１）。また、ＣＰＵ４１は、第１画像データのラインデータ保存領域４３１への保存処理を停止することにより、ダイレクトコピーによる記録動作を停止する（Ｓ１２）。
【００３８】
その後、ＣＰＵ４１は、第２画像データの全体が圧縮データ保存領域４３２に保存されたか否かを判定する（Ｓ１３）。ＣＰＵ４１は、この保存が完了したと判定した場合（Ｓ１３でＹＥＳ）、第２画像データに係る画像の用紙への記録動作を開始する。つまり、ＣＰＵ４１は、メモリコピーによる記録動作を実行する（Ｓ１４）。一方、ＣＰＵ４１は、第２画像データの保存が完了するまで、メモリコピーによる記録動作の開始を待機する。
【００３９】
ＣＰＵ４１は、Ｓ１４で開始された上記記録動作を監視することにより、指定された記録部数（指定部数）分の記録動作が完了したか否かを判定する（Ｓ１５）。ＣＰＵ４１は、指定部数分の記録動作が完了するまで、当該記録動作を維持する（Ｓ１５でＮＯの場合）。一方、ＣＰＵ４１は、指定部数分の記録動作が完了したと判定した場合には（Ｓ１５でＹＥＳ）、記録処理を完了する（Ｓ１６）。
【００４０】
Ｓ１０において、ＣＰＵ４１は、ダイレクトコピーによる記録動作を既に開始していると判定した場合（Ｓ１０でＹＥＳ）、ダイレクトコピーによる記録動作を中止し、記録途中の用紙を排出する（Ｓ２１）。そして、ＣＰＵ４１は、次用紙へのメモリコピーによる記録動作の開始を待機し（Ｓ２２）、Ｓ１３の処理へと移行する。
【００４１】
このように、図４に示すように、ＣＰＵ４１は、スタートキー３１の押下回数に応じて、ダイレクトコピー又はメモリコピーを実行するコピー制御ステップを実現している。つまり、ＣＰＵ４１は、スタートキー３１の押下回数が１回の場合には、ダイレクトコピーによる記録動作を実行する（Ｓ８）。一方、ＣＰＵ４１は、スタートキー３１の押下回数が２回以上となった場合には、メモリコピーによる記録動作を実行する（Ｓ１４）。
【００４２】
〔上記処理の総括〕
一般に、画像形成装置では、画像の読取動作開始前に記録部数を設定することで、ダイレクトコピーとメモリコピーとの切替えを行う。しかし、本実施形態の画像形成装置２のように、部数入力キーを備えておらず、スタートキーの押下回数に応じて記録部数を設定する画像形成装置では、記録部数を予め把握できない。従って、このような画像形成装置では、スタートキーの押下によるダイレクトコピー開始後に、更なるスタートキーの押下により記録部数の追加指示を受け付けた場合には、開始したダイレクトコピーをキャンセルしてメモリコピーを実行することになる。つまり、メモリコピーのために、画像の読取動作を再度行う必要がある。
【００４３】
上述したように、ＣＰＵ４１は、Ｓ４〜Ｓ６において、１部目の記録実行指示を受け付けたときに、ダイレクトコピーのための第１画像データを生成する処理を実行する。また、ＣＰＵ４１は、メモリコピーのための第２画像データを生成し、圧縮データ保存領域４３２への保存を開始する処理を実行する。
【００４４】
そのため、画像形成装置２では、ダイレクトコピー開始後に記録部数の追加指示を受け付けたときに、メモリコピーのために画像の読み取りを再度行う必要がない。つまり、画像形成装置２では、再度の画像の読み取りを行うことなく、メモリコピーを行うことができる。
【００４５】
また、ＣＰＵ４１は、Ｓ６において、第２画像データを圧縮して圧縮データ保存領域４３２に保存する処理を実行する。
【００４６】
ＣＰＵ４１は、上述のように、１部目の記録実行指示を受け付けたときに、第１画像データの一部をラインデータ保存領域４３１に書き込むと共に、第２画像データを圧縮データ保存領域４３２に保存する。このように、第１画像データと第２画像データとを同時に保存する場合であっても、第２画像データを圧縮して保存することにより、ＲＡＭ４３の容量増大化を抑制できる。
【００４７】
また、ＣＰＵ４１は、Ｓ１１〜Ｓ１４及びＳ２２〜Ｓ１４において、記録部数の追加指示を受け付けた場合には、第２画像データの圧縮データ保存領域４３２への保存が完了するまで、第２画像データの用紙への記録動作を待機する処理を実行する。
【００４８】
上記処理によれば、記録部数の追加指示を受け付けた場合には、第２画像データの圧縮データ保存領域４３２への保存が完了した後、第２画像データの用紙への記録動作を開始する。そのため、少なくとも２部目以降について、再度の画像の読み取りを行うことなくメモリコピーを行うことができる。
【００４９】
また、Ｓ１１の処理は、第１画像データに係る画像の用紙への記録動作を開始していない状態において、記録部数の追加指示を受け付けた場合に実行される処理である。
【００５０】
上記処理によれば、ダイレクトコピーによる記録動作開始前に記録部数の追加指示を受け付けた場合に、ダイレクトコピーによる記録動作を行わず、１部目からメモリコピーを行うことができる。そのため、再度の画像の読み取りを行うことなく、１部目からメモリコピーを行うことができる。またこの場合、１部目からメモリコピーを行うことができるので、画質を揃えた記録を行うことができる。
【００５１】
一方、Ｓ２２の処理は、第１画像データに係る画像の用紙への記録動作を行っている状態において、記録部数の追加指示を受け付けた場合に実行される処理である。具体的には、ＣＰＵ４１は、Ｓ２１において、その記録動作を中止して用紙を排出する第１処理を実行する。
【００５２】
上記第１処理によれば、ダイレクトコピーによる記録動作を中止し用紙を排出した上で、メモリコピーによる記録動作を待機できる。そのため、１部目からメモリコピーを行うことができる。つまり、画質を揃えた記録を優先的に行うことができる。
【００５３】
〔画像読み取り・記録部数設定の変形例〕
なお、読取部１０は、第１画像データを生成するための画像の読み取りと、第２画像データを生成するための画像の読み取りとを個別に行ってもかまわない。この場合、Ｓ３において、両者の画像の読み取りが開始される。また、Ｓ１２及びＳ２１においては、第１画像データを生成するための画像の読み取りを停止することで、ダイレクトコピーによる記録動作が停止される。一方、第２画像データを生成するための画像の読み取りは、Ｓ１３で保存対象となる第２画像データの全体が読み取られるまで維持される。
【００５４】
また、押下回数と、設定される記録部数とは、一致しているものとして説明したが、必ずしも一致していなくても構わない。例えば、数回単位の押下で、記録部数が１部ずつ増加するように設定されても構わない。
【００５５】
また、１部目がダイレクトコピーで、２部目以降がメモリコピーであるものとして説明したが、最初の複数枚についてはダイレクトコピーを実行し、残りの記録部数分についてはメモリコピーを実行するものとしても構わない。つまり、上述の記録部数の追加指示とは、２部目の記録実行指示に限られず、３部目以降の記録実行指示であっても構わない。
【００５６】
〔ダイレクトコピー及びメモリコピー切替えの別例〕
次に、ＣＰＵ４１の具体的処理の別例について、図５を用いて説明する。図５は、ＣＰＵ４１の処理例を示すフローチャートである。画像形成装置２の制御方法の一例が本処理である。
【００５７】
図５に示すように、ＣＰＵ４１は、記録部数の追加指示を受け付けた場合であって（Ｓ７でＹＥＳ）、ダイレクトコピーによる記録動作を既に開始している場合には（Ｓ１０でＹＥＳ）、Ｓ３１の処理を実行する。Ｓ３１では、ＣＰＵ４１は、上記記録動作を監視することにより、１部目の記録動作が完了したか否かを判定する（Ｓ３１）。
【００５８】
ＣＰＵ４１は、１部目の記録動作が完了するまで、当該記録動作を維持する（Ｓ３１でＮＯの場合）。一方、ＣＰＵ４１は、１部目の記録動作が完了したと判定した場合には（Ｓ３１でＹＥＳ）、Ｓ１４に移行し、メモリコピーによる記録動作を開始する。
【００５９】
なお、ダイレクトコピーによる１部目の記録動作が完了するまでの時間よりも、圧縮データ保存領域４３２への第２画像データの保存が完了するまでの時間の方が短いため、Ｓ３１でＹＥＳとなる時点においては、第２画像データの保存が完了している。そのため、Ｓ３１でＹＥＳの場合には、Ｓ１３ではなくＳ１４へ移行している。但し、１部目の記録動作が完了する前に、第２画像データの保存が完了していない場合も考慮して、Ｓ３１でＹＥＳの場合にＳ１３へ移行しても構わない。
【００６０】
このように、ＣＰＵ４１は、Ｓ３１〜Ｓ１４において、第１画像データに係る画像の用紙への記録動作を行っている状態において、記録部数の追加指示を受け付けた場合には、第１処理とは異なる第２処理を実行する。第２処理は、上記記録動作の完了後に、第２画像データに係る画像の用紙への記録動作を開始する処理である。
【００６１】
上記第２処理によれば、実行中のダイレクトコピー完了後の次の用紙から、メモリコピーによる記録動作を行うことができる。そのため、実行中のダイレクトコピーを中止した上でメモリコピーとしてやり直す必要が無い。つまり、処理時間の短縮を優先した処理を実行できる。また、用紙を無駄にすることが無い。
【００６２】
〔ユーザ設定例〕
上述したように、図４の処理及び図５の処理では、記録動作部数の追加指示を受け付けた場合であって（Ｓ７でＹＥＳ）、ダイレクトコピーによる記録動作を既に開始している場合には（Ｓ１０でＹＥＳ）、互いに異なる処理が実行されている。
【００６３】
具体的には、図４の処理では、ＣＰＵ４１は上述の第１処理を実行した上で（Ｓ２１）、メモリコピーによる記録動作を待機する（Ｓ２２）。これにより、複数枚の記録において画質の均一化を実現している。一方、図５の処理では、ＣＰＵ４１は上述の第２処理を実行する（Ｓ３１〜Ｓ１４）。これにより、１部目と２部目以降とで画質は異なるものの、処理時間の短縮を図ると共に、用紙の無駄を排除している。
【００６４】
上記２つの処理をユーザが選択できるようにしても構わない。つまり、Ｓ１０でＹＥＳとなった場合に、ＣＰＵ４１は、ユーザにより選択された第１処理又は第２処理を実行しても構わない。この場合、ユーザの嗜好を反映して、（１）画質を優先した処理を実行するか、又は（２）処理時間の短縮を優先すると共に用紙の無駄を排除した処理を実行することができる。
【００６５】
第１処理及び第２処理の選択は、例えば、初期設定により実現されていても構わない。また、任意のタイミングで（例：記録動作前又は記録動作中に）、ＰＣ３を介して設定されても構わない。
【００６６】
〔ソフトウェアによる実現例〕
画像形成装置２の制御ブロック（特にＣＰＵ４１）は、集積回路（ＩＣチップ）等に形成された論理回路（ハードウェア）によって実現してもよいし、ソフトウェアによって実現してもよい。
【００６７】
後者の場合、画像形成装置２は、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００６８】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００６９】
２      画像形成装置
１０    記録部
３１    スタートキー
４１    ＣＰＵ（記録実行部）
４３    ＲＡＭ（メモリ）
４３１  ラインデータ保存領域（メモリ）
４３２  圧縮データ保存領域（メモリ）
【図１】
2020167486.tif 000003
【図２】
2020167486.tif 000004
【図３】
2020167486.tif 000005
【図４】
2020167486.tif 000006
【図５】
2020167486.tif 000007